(57)【要約】【課題】部品点数が少ないトレイ式のカード用コネクタ装置の提供すること。【解決手段】本発明のカード用コネクタ装置１は、カードＣが挿入されるハウジング２と、ハウジング２に対して移動可能に取り付けられるとともに、カードＣが載置されるトレイ１０と、ハウジング２内でカードＣと電気的な接続を行なうための接続位置と、カードをハウンジング２の外側に押し出すための排出位置との間で、ハウジング２に対してトレイ１０と共に移動可能なスライド部１２と、スライド部１２を前記排出位置に向けて常時付勢する付勢手段４５と、スライド部１２を前記接続位置でロックするロック機構とを備え、トレイ１０及びスライド部１２は、金属板を折り曲げることにより一体に形成されていることを特徴とする。【選択図】図３
2006127811.tif 000002
【特許請求の範囲】
【請求項１】
カードが挿入されるハウジングと、
前記ハウジングに対して移動可能に取り付けられるとともに、前記カードが載置されるトレイと、
前記ハウジング内で前記カードと電気的な接続を行なうための接続位置と、前記カードを前記ハウンジングから取り出すための排出位置との間で、前記ハウジングに対して前記トレイと共に移動可能なスライド部と、
前記スライド部を前記排出位置に向けて常時付勢する付勢手段と、
前記スライド部を前記接続位置でロックするロック機構と、
を備え、
前記トレイ及び前記スライド部が一体に形成されていることを特徴とするカード用コネクタ装置。
【請求項２】
前記トレイ及び前記スライド部は、金属板を折り曲げることにより一体に形成されていることを特徴とする請求項１記載のカード用コネクタ装置。
【請求項３】
前記ロック機構は、所定形状のカム溝と、前記カム溝に対して摺動可能に係合するロックピンとを有し、
前記スライド部には、前記ロックピンを押圧してロックピンと前記カム溝との係合状態を保持する押圧部が、前記金属板の折り曲げにより一体で形成されている、
ことを特徴とする請求項２記載のカード用コネクタ装置。
【請求項４】
前記スライド部には、前記付勢手段を保持するための保持部が、前記金属板の折り曲げにより一体で形成されていることを特徴とする請求項２または請求項３のいずれかに記載のカード用コネクタ装置。
【請求項５】
前記トレイには、前記トレイに載置されたカードの所定の部位と当接することにより前記トレイに対する前記カードの誤挿入を防止する誤挿入防止部が、前記金属板の折り曲げにより一体で形成されていることを特徴とする請求項２から請求項４のいずれかに記載のカード用コネクタ装置。
【発明の詳細な説明】
【技術分野】
【０００１】
本発明は、携帯電話やＰＣ等の各種の携帯情報端末、デジタルカメラ、あるいは、デジタルＡＶ機器等の電子装置に対して記憶媒体等のカード状の媒体を挿入・排出するとともに、このカード状の媒体に設けられた外部接続端子と前記電子装置の回路基板に形成された電子回路との電気的な接続を果たすためのカード用コネクタ装置に関する。
【背景技術】
【０００２】
従来から、パソコン、ビデオカメラ、デジタルカメラ、携帯電話等の電子装置に対して着脱自在に装着される可搬型の媒体として、ＰＣカード、メモリカード等のカード状の記憶媒体や通信用カード（以下、単に、カードという）等が知られている。このようなカードは、電子装置に搭載されたカード用コネクタ装置を介して、電子装置に対して挿入・排出されるとともに、その外部接続端子が電子装置の回路基板に形成された電子回路と電気的に接続される。
【０００３】
前記カード用コネクタ装置としては、例えば、電子装置に取り付け固定されるハウジングと、ハウジングに取り付けられてカードを保持するトレイ（カードホルダ）と、トレイと共にハウジングに対してカードの挿入／排出方向に移動することができるスライド部材とを備えたものが知られている（例えば、特許文献１参照）。この場合、前記スライド部材は、カードの外部接続端子を電子装置の前記電子回路に電気的に接続する接続位置（カード挿着位置）と、カードをトレイから取り出すことができるようにトレイ及びこれに保持されたカードをハウンジングの外部に押し出す排出位置との間で移動することができるとともに、バネなどの付勢手段により前記排出位置へ向けて付勢されており、また、ロック機構により前記接続位置に保持されるようになっている。
【特許文献１】特開２００３−１６５３５６号公報
【発明の開示】
【発明が解決しようとする課題】
【０００４】
しかしながら、特許文献１に開示された前記構成では、スライド部材とトレイとが別体であるため、部品点数が増えるばかりか、構成及び組立作業が複雑化するという問題があった。
【０００５】
本発明はかかる点に鑑みてなされたものであり、部品点数が少ないトレイ式のカード用コネクタ装置を提供することを目的とする。
【課題を解決するための手段】
【０００６】
本発明のカード用コネクタ装置は、カードが挿入されるハウジングと、前記ハウジングに対して移動可能に取り付けられるとともに、前記カードが載置されるトレイと、前記ハウジング内で前記カードと電気的な接続を行なうための接続位置と、前記カードを前記ハウンジングから取り出すための排出位置との間で、前記ハウジングに対して前記トレイと共に移動可能なスライド部と、前記スライド部を前記排出位置に向けて常時付勢する付勢手段と、前記スライド部を前記接続位置でロックするロック機構とを備え、前記トレイ及び前記スライド部が一体に形成されていることを特徴とする。
【０００７】
この構成によれば、トレイとスライド部とが一体であるため、部品点数を削減でき、構成を簡略化できるとともに、組立作業の簡略化、ひいては、製造コストの低減を図ることができる。この場合、成形を容易にするため、トレイ及びスライド部は、金属板を折り曲げることにより一体形成されていることが好ましい。
【０００８】
本発明のカード用コネクタ装置においては、前記ロック機構は、前記ハウジングに形成された所定形状のカム溝と、一端が前記スライド部に支持され且つ他端が前記カム溝に対して摺動可能に係合するロックピンとを有し、前記スライド部には、前記ロックピンを押圧してロックピンの前記他端と前記カム溝との係合状態を保持する押圧部が、前記金属板の折り曲げにより一体で形成されていることが好ましい。この構成によれば、押圧部を別個に設ける必要がなくなるため、部品点数の更なる削減を図ることができるとともに、成形が容易になる。
【０００９】
本発明のカード用コネクタ装置においては、上記構成において、前記スライド部には、前記付勢手段を保持するための保持部が、前記金属板の折り曲げにより一体で形成されていることが好ましい。この構成によれば、保持部を別個に設ける必要がなくなるため、部品点数の更なる削減を図ることができるとともに、成形が容易になる。
【００１０】
本発明のカード用コネクタ装置においては、前記トレイには、前記トレイに載置されたカードの所定の部位と当接することにより前記トレイに対する前記カードの誤挿入を防止する誤挿入防止部が、前記金属板の折り曲げにより一体で形成されていることが好ましい。この構成によれば、誤挿入防止部を別個に設ける必要がなくなるため、部品点数の更なる削減を図ることができるとともに、成形が容易になる。
【発明の効果】
【００１１】
本発明によれば、トレイ及びスライド部は、金属板を折り曲げることにより一体に形成されているので、部品点数が少ないトレイ式のカード用コネクタ装置を提供することができる。
【発明を実施するための最良の形態】
【００１２】
以下、本発明の実施の形態について、添付図面を参照して詳細に説明する。
まず、図１〜図３を参照しながら、本発明の一実施の形態に係るカード用コネクタ装置１の構成について説明する。これらの図に示されるように、本実施の形態のカード用コネクタ装置１は、例えばパソコン、ビデオカメラ、デジタルカメラ、携帯電話などの電子装置に対して取り付け固定されるハウジング２を有している。このハウジング２は、例えば合成樹脂などの絶縁材によって形成され且つ前方及び上方が開口された箱型のハウジング本体２ａ（特に、図２参照）と、ハウジング本体２ａに結合され且つハウジング本体２ａの上部開口を覆う例えば金属製のカバー部材２ｂとから成る。ハウジング本体２ａは、後述するトレイ１０を介してメモリカードなどのカード状の媒体（以下、単にカードＣという）が挿入されて収納される収納部３を有しており、また、ハウジング２の前面には、収納部３に連通するカード挿入口４が形成されている。なお、本明細書では、便宜上、カード挿入口４が位置する側を「前」、これと反対側を「後」、カバー部材２ｂが位置する側を「上」、これと反対側を「下」として、方向を規定するものとする。
【００１３】
カード挿入口４に対向する収納部３の奥側には、前記トレイ１０を介して収納部３内に収納されるカードＣの外部接続端子と接触する複数のコネクタ端子５・・・が並設されるとともに、カードＣが所定の収納位置に位置されたこと（したがって、カードＣの外部接続端子とコネクタ端子５・・・とが接触したこと）を電気的に検知するためのカード検出スイッチ８５が支点８７を中心に回動可能に設けられている。この場合、コネクタ端子５・・・は、電子装置などの外部の回路基板上の回路パターンと電気的に接続されるようになっており、また、カード検出スイッチ８５は、カードＣの挿入に伴って、前記トレイ１０の後端開口１０ｄの切り欠き９７から露出するカードＣの露出部位によって押圧されることにより回動し、カードＣが所定の収納位置に位置された際に所定の検出回路を電気的に閉じるようになっている。なお、ハウジング本体２ａの両側には、収納部３内に挿入される前記トレイ１０の側縁部を案内するガイド部６，６が設けられている。
【００１４】
また、ハウジング本体２ａには、ハウジング２に対するカードＣの挿入／排出方向（カード挿入口４を横切る図中の矢印方向）に沿ってハウジング本体２ａの収納部３内で移動可能なトレイ１０が取り付けられている。このトレイ１０は、金属板を折り曲げることにより略箱型に形成されており、カードＣが載置される載置部１０ａと、一対の側面部１０ｈと、天井部１０ｇと、前端開口１０ｆと、後端開口１０ｄとを有している。また、このトレイ１０には、前記金属板の折り曲げにより、ハウジング本体２ａの一側部に沿って移動可能なスライド部１２が一体で形成されている。
【００１５】
前記載置部１０ａは、トレイ１０の両側に沿って延びるレール状の面として形成されている。また、トレイ１０の前端開口１０ｆには、これを閉塞するように、シャッタ状の閉塞部１０ｂが取り付けられている。この閉塞部１０ｂは、支点９２を中心に上下に回動可能であり、ハウジング２に対してトレイ１０が完全に挿入された状態でカード挿入口４を閉塞するようになっている。また、トレイ１０の後端開口１０ｄには、トレイ１０内へのカードＣの挿入量を規制するストッパ１０ｅが形成されており、天井部１０ｇの後端部には、カードＣの後端側部位を一部露出させるための切り欠き９７が形成されている。また、天井部１０ｇには、トレイ１０の載置部１０ａ上に載置されたカードＣの所定の部位と当接することによりトレイ１０に対するカードＣの誤挿入を防止する誤挿入防止部９９が、トレイ１０を形成する前記金属板の折り曲げ（下側に折り曲げる）により一体で形成されている。
【００１６】
また、スライド部１２は、後述するハート型のカム溝８０とロックピン８２との係合による移動規制により、トレイ１０の載置部１０ａに載置されたカードＣの外部接続端子がコネクタ端子５・・・に電気的に接続される接続位置（後述する図６に示される位置）と、トレイ１０に対するカードＣの挿脱が可能となるようにトレイ１０がハウンジング２の外部に押し出される排出位置（図２に示される位置）との間で移動できるようになっている。
【００１７】
また、スライド部１２は、付勢手段としての圧縮バネ４５により、前記排出位置に向けて常時付勢されている。この場合、圧縮バネ４５の後端は、ハウジング本体２ａの後端壁２１の内面に突設されたバネ支持部２０（図３の（ａ）参照）に支持されるとともに、圧縮バネ４５の前端は、スライド部１２の保持部１２ａ（図３の（ａ）参照）に支持されている。なお、この保持部１２ａも、トレイ１０を形成する前記金属板の折り曲げにより、スライド部１２と一体に形成されている。
【００１８】
また、本実施の形態のカード用コネクタ装置１は、スライド部１２を前記接続位置でロックするロック機構を有している。このロック機構は、ハウジング本体２ａの側部前端側の上面に形成されたハート型のカム溝８０と、このカム溝８０と係合するロックピン８２とから成る。
【００１９】
図３に明確に示されるように、ロックピン８２は、その一端８２ａがスライド部１２のピン保持部１２ｂに支持され、その他端８２ｂがカム溝８０と摺動可能に係合するようになっている。なお、前記ピン保持部１２ｂは、トレイ１０を形成する前記金属板の折り曲げにより、スライド部１２と一体に形成されている。
【００２０】
また、スライド部１２には、トレイ１０を形成する前記金属板の折り曲げにより、ロックピン８２を押圧してロックピン８２の他端８２ｂとカム溝８０との係合状態を保持する押圧部１２ｃが一体で形成されている。
【００２１】
図３の（ａ）に明確に示されるように、ハート型のカム溝８０は、複数の斜面や平面（詳しくは、図５の（ｂ）及び図６の（ｂ）の断面図参照）から成る環状溝として形成されている。具体的には、カム溝８０は、スライド部１２の前記排出位置を規定する前端係止溝部８０ａと、カム溝８０の後端側の中央に位置するとともにスライド部１２の前記接続位置を規定する窪んだ後端係止溝部８０ｂと、前端係止溝部８０ａと後端係止溝部８０ｂとを接続するように略ハート型の外形に沿って延びる一対の第１及び第２の摺動溝部８０ｃ，８０ｄとから成る。また、カム溝８０は、後述するように、その前端係止溝部８０ａにロックピン８２の他端８２ｂが係止することにより、スライド部１２を前記排出位置に保持するとともに、その後端係止溝部８０ｂにロックピン８２の他端８２ｂが係止することにより、スライド部１２を前記接続位置に保持（ロック）するようになっている。
【００２２】
次に、図４〜図７を参照しながら、上記構成のカード用コネクタ装置１の動作について説明する。
図４は、スライド部１２が圧縮バネ４５の付勢力により排出位置に位置され、したがって、スライド部１２と一体のトレイ１０がカード挿入口４を通じてハウジング２の外側に押し出された状態を示している。この状態では、カム溝８０の前端係止溝部８０ａにロックピン８２の他端８２ｂが係止している。また、この図４の状態では、図示のようにトレイ１０の載置部１０ａにカードＣを載置することができる。なお、トレイ１０の載置部１０ａにカードＣを載置する際には、カードＣの後端の所定の部位がトレイ１０の天井部１０ｇの誤挿入防止部９９に当接することにより、トレイ１０に対するカードＣの誤挿入が防止される。
【００２３】
次に、トレイ１０の載置部１０ａにカードＣを載置した図４の状態から、トレイ１０をカード挿入口４を通じてハウジング２内に押し込む（挿入する）と、トレイ１０と一体のスライド部１２が圧縮バネ４５の付勢力に抗して前記接続位置へと移動し始める。また、この移動に伴って、ロックピン８２の他端８２ｂがカム溝８０の第１の摺動溝部８０ｃをトレースし、また、トレイ１０の後端開口１０ｄの切り欠き９７から露出するカードＣの露出部位１０２がカード検出スイッチ８５を押圧して回動させる。その状態が図５に示されている。
【００２４】
そして、このような移動によってスライド部１２が接続位置に達すると、ロックピン８２の他端８２ｂがカム溝８０の中央の窪んだ後端係止溝部８０ｂに係止し、スライド部１２がハウジング２に対して位置決め固定される。すなわち、スライド部１２が接続位置でロックされる。その状態が図６に示されている。
【００２５】
この図６に示される状態では、トレイ１０上のカードＣの外部接続端子が対応するコネクタ端子５と接触されるとともに、カード挿入口４がトレイ１０の閉塞部１０ｂによって閉塞される。また、この時、カード検出スイッチ８５は、切り欠き９７から露出するカードＣの露出部位１０２により規定位置まで回動され、所定の検出回路を電気的に閉じる。
【００２６】
次に、この図６の状態で、トレイ１０をハウジング２から引き出す場合には、トレイ１０をハウジング２内に押し込んで、スライド部１２を圧縮バネ４５の付勢力に抗してハウジング２の奥へと更にスライドさせる。これにより、ロックピン８２の他端８２ｂとカム溝８０の後端係止溝部８０ｂとの係止状態が解除される。そのため、この状態でトレイ１０及びスライド部１２に対する押圧力を解除すると、圧縮バネ４５による付勢力によりスライド部１２が排出位置へと移動される。この移動により、ロックピン８２の他端８２ｂがカム溝８０の第２の摺動溝部８０ｄをトレースし（図７参照）、それに伴ってトレイ１０もカード挿入口４を通じてハウジング２の外部へと押し出される。その後、ロックピン８２の他端８２ｂがカム溝８０の前端係合溝部８０ａに係止して、スライド部１２が排出位置に位置されると、図４に示される最初の状態となり、トレイ１０からカードＣを取り出すことが可能になる。
【００２７】
以上説明したように、本実施の形態のカード用コネクタ装置１では、トレイ１０とスライド部１２とが一体であるため、部品点数を削減でき、構成を簡略化できるとともに、組立作業の簡略化、ひいては、製造コストの低減を図ることができる。また、トレイ１０及びスライド部１２は、金属板を折り曲げることにより一体形成されるため、成形が容易であるという利点も得られる。
【００２８】
また、本実施の形態のカード用コネクタ装置１において、スライド部１２には、ロックピン８２を押圧してロックピン８２の他端８２ｂとカム溝８０との係合状態を保持する押圧部１２ｃが、前記金属板の折り曲げにより一体で形成されている。したがって、押圧部を別個に設ける必要がなくなるため、部品点数の更なる削減を図ることができるとともに、成形が容易になる。
【００２９】
また、本実施の形態において、スライド部１２には、圧縮バネ４５を保持するための保持部１２ａが、前記金属板の折り曲げにより一体で形成されている。したがって、保持部を別個に設ける必要がなくなるため、部品点数の更なる削減を図ることができるとともに、成形が容易になる。
【００３０】
また、本実施の形態において、トレイ１０には、トレイ１０に載置されたカードＣの所定の部位と当接することによりトレイ１０に対するカードＣの誤挿入を防止する誤挿入防止部が、前記金属板の折り曲げにより一体で形成されている。したがって、誤挿入防止部を別個に設ける必要がなくなるため、部品点数の更なる削減を図ることができるとともに、成形が容易になる。
【００３１】
なお、本発明は、前述した実施の形態に限定されず、その要旨を逸脱しない範囲で種々変形して実施できることは言うまでもない。例えば、前述した実施の形態では、ロックピン８２がスライド部１２と別体であったが、ロックピン８２とスライド部１２とが一体であっても良い。
【００３２】
本発明は、カードの挿入・排出を伴うあらゆるコネクタ装置に対して適用することができる。
【図面の簡単な説明】
【００３３】
【図１】本発明の一実施の形態に係るカード用コネクタ装置の斜視図である。
【図２】図１の状態からカバー部材を取り除いた斜視図である。
【図３】（ａ）は図１のカード用コネクタ装置のハウジング本体の平面図、（ｂ）は（ａ）のハウジング本体の側面図、（ｃ）は図１のカード用コネクタ装置のトレイの平面図、（ｄ）は（ｃ）のトレイの側面図、（ｅ）は（ａ）のトレイの正面図である。
【図４】（ａ）はスライド部が排出位置にあるカード用コネクタ装置の平面図、（ｂ）は（ａ）のカード用コネクタ装置の側面図である。
【図５】（ａ）はトレイが挿入途中にあるカード用コネクタ装置の平面図、（ｂ）は（ａ）のカード用コネクタ装置の側断面図である。
【図６】（ａ）はスライド部が接続排出位置にあるカード用コネクタ装置の平面図、（ｂ）は（ａ）のカード用コネクタ装置の側断面図である。
【図７】（ａ）はトレイが排出途中にあるカード用コネクタ装置の平面図、（ｂ）は（ａ）のカード用コネクタ装置の側面図である。
【符号の説明】
【００３４】
１    カード用コネクタ装置
２    ハウジング
２ａ    ハウジング本体
２ｂ    カバー部材
４    カード挿入口
１０    トレイ
１０ａ    載置部
１０ｂ    閉塞部
１２    スライド部
４５    圧縮バネ（付勢手段）
Ｃ    カード
【図１】
2006127811.tif 000003
【図２】
2006127811.tif 000004
【図３】
2006127811.tif 000005
【図４】
2006127811.tif 000006
【図５】
2006127811.tif 000007
【図６】
2006127811.tif 000008
【図７】
2006127811.tif 000009